(57)【要約】      （修正有）【課題】不使用の際の例えば胃瘻用のチューブ類を収納可能にしてチューブ類を手足で引っ掻いたり口で咬み付いたりする危険性を防止でき、使用時にはチューブ類を取り出し、被服を着せたままで給餌ができ、愛玩動物の負担も軽減できるチューブ格納用被服を提供する。【解決手段】一端に首部挿通孔２、他端に後胴部挿通孔３を備え、首部挿通孔の近傍に前脚挿通孔４を有する愛玩動物Ｐのための被服本体１と、愛玩動物に対して処置したチューブ類Ｔの施術処置部位の近傍位置に設けたポケット５と、ポケット内部の施術処置部位に近い隅所に被服本体の裏側からポケットの内部に通じて設けた連通孔部６とから成る。接続形成されたチューブ類を連通孔部を通してポケット内部に収納可能とし、また面ファスナ１１で閉止可能なポケットの開口部７よりチューブ類を取り出して給餌可能とした。【選択図】図１
0003205057.tif 000002
【実用新案登録請求の範囲】
【請求項１】
一端に首部挿通孔、他端に後胴部挿通孔を備え、首部挿通孔の近傍に前脚挿通孔を有する愛玩動物のための被服本体と、愛玩動物に対して処置したチューブ類の施術処置部位の近傍位置に設けたポケットと、当該ポケット内部の施術処置部位に近い隅所に被服本体の裏側から当該ポケットの内部に通じて設けた連通孔部とから成り、チューブ処置施術によって接続形成されたチューブ類を前記連通孔部を通して前記ポケット内部に収納可能とし、前記ポケットの開口部よりチューブ類を取り出して給餌可能としてなることを特徴とする愛玩動物のチューブ格納用被服。
【請求項２】
前記ポケットの開口部は、当該開口部の内側の対向部位に設けた雄雌の面ファスナで閉止可能としてなる請求項１記載の愛玩動物のチューブ格納用被服。
【請求項３】
前記ポケットの開口部には、ボタンで閉止可能なフラップ部を延設してなる請求項１記載の愛玩動物のチューブ格納用被服。
【考案の詳細な説明】
【技術分野】
【０００１】
この考案は、例えば猫等における胃瘻（胃ろう）処置手術等を施した後の胃瘻チューブや経鼻カテーテル、食道チューブ等の猫・犬等の愛玩動物に各種のチューブ類を設置した場合のこれらのチューブ類を格納できるようにした愛玩動物のチューブ格納用被服に関する。
【背景技術】
【０００２】
従来から例えば経皮内視鏡的胃瘻造設術（以下、ＰＥＧと称す）という、内視鏡を使用して「おなかに小さな孔」を造る手術が猫・犬等の愛玩動物にも採用されている。このＰＥＧは、口から十分に栄養が取れない愛玩動物のために、内視鏡（胃カメラ）で監視しながら穿刺針で腹の壁と胃の壁を通して胃瘻と称する小さな孔を造り、その孔に「胃瘻カテーテル」と言うバンパ型の胃瘻用チューブを入れる手術であり、口から食事のとれない場合や、食べてもむせ込んで肺炎などを起こしやすい場合に、その胃瘻用チューブを通して栄養を摂取させる方法である。胃瘻は、欧米で多く用いられている長期栄養管理法で、鼻からのチューブなどに比べ、愛玩動物の苦痛や獣医者による介護の負担が少なく、しかも喉などにチューブがないため、口から食べるリハビリが行いやすいというメリットがある。
【０００３】
また、近年では肝リピドーシスという猫に特徴的な肝臓疾患があり、これは様々な原因によって猫が食欲廃絶、絶食状態となることで体内の脂質が肝臓へ沈着することで発症するのであり、脂肪変性した肝臓は機能が低下し、徐々に肝不全の状態となり、無治療では致死的な状態となる疾患である。肝リピドーシスは、肥満体の猫が、３〜７日間絶食状態となると発症しやすいといわれている。
【０００４】
上記したように猫の肝リピドーシスの直接の原因は食欲不振による栄養不良であり、その要因は様々で、例えば引越しや家庭環境の変化などのストレスや、胃腸炎、腎不全、感染症などの多岐に渡っており、特に肥満体の猫では脂肪量が多いために肝リピドーシスになりやすいのである。この肝リピドーシスの治療は「必要なたんぱく質量を継続的に給餌しつづけること」であり、短期間で終わる治療ではなく飼い主の自宅でのケアーを前提とした長期的管理が必要とされている。ただ、元々食欲不振が原因となる疾患であるために、猫が自ら食事を食べることは不可能であるから、経鼻カテーテルや胃瘻用チューブなどの設置を行うことで強制的給餌を行う必要がある。ただ胃瘻用チューブを設置したからといって治療が終わりとなるわけではなく、その後、たんぱく必要量を継続的に給餌し、やがて自ら食事をとるようになるまでには約1ヵ月と長期の治療が必要で、治療の中心は病院ではなく家庭内でのものとなっている。しかも、猫の肝リピドーシスは無治療では非常に予後の厳しい疾患であり、また進行した状態であると、例え治療したとしても回復せずに死亡してしまうケースも多い。しかし早期に積極的に治療介入をすることで完治できる疾患でもあるため、猫が食欲不振になった場合は早急に動物病院で受診し、適正な処置を施すことが最も大事なこととされている。
【０００５】
ここで、肝リピドーシスの治療と経過について説明すると、まず経鼻カテーテルを設置して高蛋白流動食（クリニケア）を経鼻カテーテルよって持続投与し、この投与によって流涎が認められた場合、制吐剤、制酸剤を投与する。そして、例えば入院５日目で血液検査にて血液凝固系の指標であるＦｉｂ値が正常化した場合には、胃瘻用チューブを内視鏡で設置する。設置翌日より退院サポートとして高蛋白栄養食を胃瘻用チューブより投与開始して投与量を漸増していき、このように胃瘻用チューブ設置後の例えば４日目に1日必要カロリー量の９０％を投与可能となって状態も安定すれば退院させる。その後自宅等で胃瘻用チューブよって給餌を行い、胃瘻用チューブ設置の約1ヵ月程度後で自力採食が可能となれば、血液検査数値の全てが正常化したことを確認して、胃瘻用チューブを抜去するのである。
【０００６】
また、猫・犬等の愛玩動物にも人間と同じような被服を着用させることが行われており、そのための各種の愛玩動物用の被服が提案されている。例えば、特許文献１に記載されている愛玩動物用の被服は、前胴から後胴まで一体化したつなぎ服状のものであって、容易に着脱ができるようにしたものとされている。
【先行技術文献】
【特許文献】
【０００７】
【特許文献１】特開２００６−１１５８５５号公報
【考案の概要】
【考案が解決しようとする課題】
【０００８】
しかしながら、上記したように猫・犬等の愛玩動物に胃瘻処置手術を施して胃瘻用チューブを胃瘻に接続挿入してある場合、給餌していない不使用時においてはこの胃瘻用チューブは露出したままの状態であるため、自身の疾患の治療であるとは理解していない猫等にとっては自身の当該胃瘻用チューブを手足で引っ掻いたり、口で咬み付いたりする等してしまい、それによって重大な事態を招くことがあり、非常に危険でもあった。
【０００９】
こうした事態を解消すべく、愛玩動物に上記した被服を身に着けさせることで、不使用時における胃瘻用チューブをも覆うことで保護するにしても、上記特許文献１による構成の愛玩動物用の被服では、被服を着用させたままでは給餌ができないから、給餌の際にはいちいち被服を脱さなければならず面倒であり、また、その都度の脱着作業は愛玩動物にとっても負担となっていた。
【００１０】
そこでこの考案は叙上のような従来存した諸事情に鑑み案出されたもので、その目的は給餌していない不使用の際の胃瘻用チューブ等を収納可能にさせることで、猫等が自身の当該胃瘻用チューブ等を手足で引っ掻いたり口で咬み付いたりする危険性を防止でき、給餌の使用時には胃瘻用チューブを取り出し、被服を着用させたままで給餌ができ、愛玩動物自身の負担も軽減できるようにした愛玩動物のチューブ格納用被服を提供することにある。
【課題を解決するための手段】
【００１１】
上述した課題を解決するため、この考案にあっては、一端に首部挿通孔２、他端に後胴部挿通孔３を備え、首部挿通孔２の近傍に前脚挿通孔４を有する愛玩動物Ｐのための被服本体１と、愛玩動物Ｐに対して処置したチューブ類Ｔの施術処置部位の近傍位置に設けたポケット５と、当該ポケット５内部の施術処置部位に近い隅所に被服本体１の裏側から当該ポケット５の内部に通じて設けた連通孔部６とから成り、チューブ処置施術によって接続形成されたチューブ類Ｔを前記連通孔部６を通して前記ポケット５内部に収納可能とし、前記ポケット５の開口部７よりチューブ類Ｔを取り出して給餌可能としてなることを特徴とする。
前記ポケット５の開口部７は、当該開口部７の内側の対向部位に設けた雄雌の面ファスナ１１で閉止可能とすることができる。
前記ポケット５の開口部７には、ボタン９で閉止可能なフラップ部８を延設してなるものとすることができる。
【００１２】
以上のように構成されたこの考案に係る愛玩動物のチューブ格納用被服にあって、例えば胃瘻Ｑに取り付けた胃瘻用のチューブ類Ｔは、被服本体１の裏側からポケット５内部の連通孔部６に通され、不使用の際には前記ポケット５内部に丸めて収納させることで、猫（Ｐ）等の自身による胃瘻用のチューブ類Ｔを手足で引っ掻いたり口で咬み付いたりする危険性を防止させる。また、給餌時の使用の際には、前記ポケット５の開口部７より胃瘻用のチューブ類Ｔを取り出して給餌可能にさせる。
面ファスナ１１は、前記チューブ類Ｔがポケット５内部に収納されている状態で開口部７を当該面ファスナ１１の雄雌同士の圧着で塞ぐことで、不使用の際のチューブ類Ｔの露出を防止させる。
フラップ部８は、前記チューブ類Ｔがポケット５内部に収納されている状態で開口部７を当該フラップ部８で塞ぎ、ボタン９で閉止させることで、不使用の際のチューブ類Ｔの露出を防止させる。
【考案の効果】
【００１３】
この考案は以上説明したように構成されているため、愛玩動物Ｐに対して施術処置される例えば胃瘻のための胃瘻用チューブや経鼻カテーテル、食道チューブ等の各種のチューブ類Ｔを、愛玩動物Ｐに給餌していない不使用の際には収納可能にさせることで、猫、犬等の愛玩動物Ｐ自身によって当該チューブ類Ｔに対して手足で引っ掻いたり口で咬み付いたりする危険性を防止でき、給餌等のための使用時にはチューブ類Ｔを取り出し、被服本体１を着用させたままで簡単に給餌ができ、愛玩動物Ｐの負担も軽減できる。
【００１４】
すなわちこれは、この考案が、一端に首部挿通孔２、他端に後胴部挿通孔３を備え、首部挿通孔２の近傍に前脚挿通孔４を有する愛玩動物Ｐのための被服本体１と、愛玩動物Ｐに対して処置したチューブ類Ｔの施術処置部位の近傍位置に設けたポケット５と、当該ポケット５内部の施術処置部位に近い隅所に被服本体１の裏側から当該ポケット５の内部に通じて設けた連通孔部６とから成り、チューブ処置施術によって接続形成されたチューブ類Ｔを前記連通孔部６を通して前記ポケット５内部に収納可能とし、前記ポケット５の開口部７よりチューブ類Ｔを取り出して給餌可能としてなるからである。これによって、被服本体１を愛玩動物Ｐ等に着用させたままで胃瘻用等の各種のチューブ類Ｔの収納・引き出しを可能にするため、被服本体１の着用状態で愛玩動物Ｐに対して給餌が可能となる。また、不使用の際のチューブ類Ｔは、前記連通孔部６を通して前記ポケット５内部に丸めて収納可能としているから、チューブ類Ｔおよび胃瘻Ｑ部位等を愛玩動物Ｐ自身が手足で引っ掻いたり口で咬み付いたりする危険性を防止することもできる。
【００１５】
前記ポケット５の開口部７は、当該開口部７の内側の対向部位に設けた雄雌の面ファスナ１１で閉止可能としてなるので、例えば胃瘻用のチューブ類Ｔがポケット５内部に収納されている状態で開口部７を当該面ファスナ１１の雄雌同士の圧着で容易に塞ぐことができ、不使用の際のチューブ類Ｔの露出・飛び出し等を防止することができる。これによって、不使用の際のチューブ類Ｔおよび胃瘻Ｑ部位を手足で引っ掻いたり口で咬み付いたりする危険性を確実に防止できる。
【００１６】
前記ポケット５の開口部７には、ボタン９で閉止可能なフラップ部８を延設してなるので、チューブ類Ｔがポケット５内部に収納されている状態で開口部７を当該フラップ部８で塞ぎ、ボタン９で閉止させることで、不使用の際のチューブ類Ｔの露出を防止することができる。これによって、不使用の際のチューブ類Ｔおよび胃瘻Ｑ部位を手足で引っ掻いたり口で咬み付いたりする危険性を確実に防止でき、またボタン９による装飾性を得ることもできる。
【００１７】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１８】
【図１】この考案を実施するための一形態における例えば胃瘻に取り付けられている胃瘻用のチューブ類を面ファスナ閉止式のポケット内部から取り出して使用している状態の斜視図である。
【図２】チューブ類の使用時において被服本体の後胴部挿通孔の一部を捲って胃瘻部位を見せている状態の斜視図である。
【図３】胃瘻に取り付けられている胃瘻用のチューブ類を面ファスナ閉止式ポケット内部に収納した状態の斜視図である。
【図４】胃瘻に取り付けられている胃瘻用のチューブ類をボタン閉止式のポケット内部に収納した状態の斜視図である。
【図５】バンパ型の胃瘻用のチューブ類を示す概要図である。
【考案を実施するための形態】
【００１９】
以下、図面を参照してこの考案を実施するための一形態を説明すると、図において示される符号１は、例えば上記した肝リピドーシス等の治療（ＰＥＧ）のために胃瘻Ｑの処置手術を施した例えば猫等の愛玩動物Ｐに着用させるための術後処置用の被服本体であり、当該被服本体１は、図に示すように、一端に首部挿通孔２、他端に後胴部挿通孔３を備え、首部挿通孔２の近傍に左右の前脚挿通孔４を有して成る。なお、首部挿通孔２、前脚挿通孔４の開口縁部には不図示のゴムバンドが内包縫合されていることで伸縮自在となっている。また後胴部挿通孔３の開口縁部には、これを窄めるための紐１２が内包されており、窄めることで後胴部に密着させて外れないようにしている。
【００２０】
ＰＥＧによって形成された胃瘻Ｑには「胃瘻カテーテル」と言うバンパ型（図５参照）の胃瘻用のチューブ類Ｔが接続挿入され、胃瘻Ｑによって愛玩動物Ｐが、餌、栄養を摂取できるようにしている。チューブ類Ｔは例えば約２０ｃｍ程度の長さを有し、その挿入先端部手前にはチューブ類Ｔが胃瘻Ｑ部位から愛玩動物Ｐの体内に入ってしまわないようにするための例えば略円柱形状の固定具Ｒが長手方向に対して直角に設けられている。なお、当該固定具Ｒは、施術する獣医によっては取り付けられないこともあり、その形状、構造は図示例のタイプのものに限られない。
【００２１】
チューブ類Ｔの末端には栄養補給用の不図示の給餌器等に連結されたアダプタを接続するためのコネクタＣが設けられ、当該コネクタＣの開口端にはキャップＫが付いていて、チューブ類Ｔを使用しない場合には、前記コネクタＣをこのキャップＫで閉蓋するものとなっている。尚、給餌用、栄養補給用のチューブ類Ｔは図示例の形状・構造に限らないことは勿論であり、いずれであっても後述のポケット５に収納できるようにしてある。
【００２２】
そして、被服本体１の表面における、愛玩動物Ｐに対して処置したチューブ類Ｔの施術処置部位の近傍位置、例えば胃瘻Ｑである胃に当たる近傍位置には、一端に開口部７を有するポケット５が形成されている。また、このポケット５内部の施術処置部位に近い隅所、例えば胃に近い隅所には、被服本体１の裏側から当該ポケット５の内部に通じる連通孔部６が設けられている。
【００２３】
当該連通孔部６では、胃瘻Ｑに挿入されている胃瘻用のチューブ類Ｔの給餌末端側が通されており、施術部位の外側に配置されて施術部位から外出されるチューブ類Ｔを固定支持している前記固定具Ｒがポケット５における被服本体１の内側で保持係止されるようにしてある。また、ポケット５内部にはチューブ類Ｔのみが収納されるようにしてあり、長い場合のチューブ類Ｔであれば、これを丸めることで格納できるような十分な容積を備えている。
【００２４】
なお、給餌のためにチューブ類Ｔを使用する際には、当該チューブ類ＴのコネクタＣ側をポケット５の上記開口部７から取り出し、例えばコネクタＣからキャップＫを取り外して当該コネクタＣに給餌器のアダプタを接続して栄養剤等が注入されることで胃内に給餌されるものとしてある。
【００２５】
また、チューブ類Ｔを使用しない時には、前記コネクタＣをキャップＫで閉蓋してからチューブ類Ｔを丸めて前記ポケット５内部に収納し、ポケット５の開口部７の内側の対向部位に設けた雄雌の面ファスナ１１、例えばマジックテープ（登録商標）によって閉止されるものとしてある。なお、図３では愛玩動物Ｐの図示を省略して被服本体１のみを図示しているが、胃瘻用のチューブ類Ｔであれば、そのチューブ類Ｔ自体は愛玩動物Ｐの胃瘻Ｑ部位に接続挿入されている。
【００２６】
次に、以上のように構成された形態についての使用の一例について説明すると、例えば胃瘻用のチューブ類Ｔの使用による給餌の際には、雄雌の面ファスナ１１の圧着を開放してポケット５の開口部７から上記胃瘻Ｑに接続されているチューブ類Ｔを取り出し、チューブ類Ｔの末端のコネクタＣからキャップＫを取り外してから当該コネクタＣに栄養補給用の給餌器等を接続して給餌させる。こうすることで、愛玩動物Ｐに被服本体１を着用させたままで給餌ができる。
【００２７】
給餌が済んで、チューブ類Ｔを使用しない場合には、前記コネクタＣから給餌器等を取り外し、コネクタＣをキャップＫで閉蓋してからチューブ類Ｔを丸めてポケット５内部に収納し、雄雌の面ファスナ１１を圧着して閉止する。こうすることで、例えば胃瘻用のチューブ類Ｔおよび胃瘻Ｑ部位を愛玩動物Ｐ自身が手足で引っ掻いたり口で咬み付いたりする危険性を防止することができる。
【００２８】
なお、この考案は、上記実施形態に限られるものではなく、その趣旨及び技術的思想を逸脱しない範囲内で種々の変形が可能である。例えば、上記実施形態においては胃瘻Ｑのための胃瘻用のチューブ類Ｔとして説明したが、例えば経鼻カテーテル、食道チューブであっても同様に実施可能である。
【００２９】
また、図４は、前記開口部７にフラップ部８を延設した場合の変形例を示している。すなわち、前記ポケット５の開口部７における被服本体１の表地側にフラップ部８を延設し、ポケット５の表側に縫い付けたボタン９を、フラップ部８に形成したスリット状の挿し孔１０に装着して閉止可能となっている。
【００３０】
なお、図４では愛玩動物Ｐの図示を省略し、被服本体１のみを図示しているが、例えば胃瘻用のチューブ類Ｔ自体は愛玩動物Ｐの胃瘻Ｑ部位に接続挿入されている。
【００３１】
その他の変形例として、例えば、愛玩動物Ｐの被服本体１は、愛玩動物Ｐの背側に設けられている連接、分離を可能な連接部材を介して前胴被覆部と後胴被覆部とからなるものとしたり、前記後胴被覆部は愛玩動物Ｐの後脚を覆うための筒状の後脚被覆部を備えるとともに、愛玩動物Ｐの腹部を露出させる形状であるものとしたり等の構成となっていても良い。
【００３２】
また、上記した本実施形態および各変形例においては、愛玩動物Ｐとして猫の場合の肝リピドーシス等の治療について説明しているが、これに限らず、犬やハムスタ等の四足動物ペットでも良く、さらに肝リピドーシス等の治療以外の症例であっても良いことは勿論である。
【符号の説明】
【００３３】
Ｐ…愛玩動物                            Ｑ…胃瘻
Ｔ…チューブ類                          Ｒ…固定具
Ｃ…コネクタ                            Ｋ…キャップ
１…被服本体                            ２…首部挿通孔
３…後胴部挿通孔                        ４…前脚挿通孔
５…ポケット                            ６…連通孔部
７…開口部                              ８…フラップ部
９…ボタン                              １０…挿し孔
１１…面ファスナ                        １２…紐
【図１】
0003205057.tif 000003
【図２】
0003205057.tif 000004
【図３】
0003205057.tif 000005
【図４】
0003205057.tif 000006
【図５】
0003205057.tif 000007